(57)【特許請求の範囲】
【請求項１】
商品を吊るすためのハンガであって、その一端が、商品がハンガから取り外されるのを防ぐための保持手段を備え、商品が着脱されるその他端がフック手段を有するハンガと、ハンガのフック手段が引っ掛けられ、穿孔された穴からなる凹みを有する主支持部と、ハンガが外されるのを防ぐための、主支持部上のロック可能な障害物とを含む、商品を展示するための窃盗防止装置であって、該障害物として、ハンガ（１）の、主支持部に引っ掛けられた部分の上部を、折りたたみ可能に覆うために、主支持部に蝶番で取り付けられた副木（５，１６）の形状を採用したことを特徴とする窃盗防止装置。
【請求項２】
該穿孔された穴（１３）が、円筒形の断面を有する、請求項１記載の窃盗防止装置。
【請求項３】
該穿孔された穴が、スロット（３）によって該主支持部の側面につながっている、請求項１記載の窃盗防止装置。
【請求項４】
該副木（５，１６）の自由端が、該主支持部に配設された錠と係合するように設計されている、請求項１記載の窃盗防止装置。
【発明の詳細な説明】
【０００１】
本発明は、商品を吊るすためのハンガであって、その一端が、商品がハンガから取り外されるのを防ぐための保持手段を備え、商品が着脱されるその他端がフック手段を有するハンガと、ハンガのフック手段が引っ掛けられる凹みを有する主支持部と、ハンガが外されるのを防ぐための、主支持部上のロック可能な障害物とを含む、商品を展示するための窃盗防止装置に関する。
【０００２】
多くの商品は、相反する要件、すなわち、一方では、商品を徹底的に吟味する可能性を潜在顧客に提供する顧客友好的な展示における売り手の関心と、他方では、商品を閉鎖することを要し、顧客友好的とはいえない、窃盗に対する商品の保全の必要性とを有する。
【０００３】
少なくとも窃盗をより困難にし、望むならば、窃盗品を窃盗品として明白に識別することができるよう、商品は、特別な器具なしには商品から取り外すことができない窃盗防止装置を個々に備えていることが多い。
【０００４】
ＤＥ−Ａ−３６０８６９５は、個々のベルトを引っ掛け、そのバックルによって締め付ける、ベルト用の窃盗防止装置を開示している。ベルトを盗もうとするならば、ベルトを装置ごと取っていかなければならない。これが、そのような装置の付いていないベルトを取っていく場合よりも人の注意を引く。
【０００５】
ＦＡ−Ａ−２５３５５９４およびＦＡ−Ａ−２５４６３９０は、財布などに用いられる、同じ原理に基づく窃盗防止装置を開示している。
【０００６】
ＵＳ−Ａ−４０８８２２８は、衣料品を展示するための窃盗防止装置を開示している。商品が引っ掛けられるハンガが上から支持部に挿入され、その支持部の内部をロックバーが延び、このロックバーが適切な形のハンガの挿入端と相互作用する。
【０００７】
これらの保全手段はすべて窃盗をある程度は困難にするが、実際の保全を提供することはできない。すなわち、これらは非常に精巧で高額であるため、低めの価格区分および中庸価格区分の商品には使えない。
【０００８】
したがって、本発明の目的は、一方では、顧客友好的で開放的な商品の展示を可能にし、他方では、商品の窃盗に対して可能な最大限の保全を提供し、妥当な費用で製造することができる、商品用の窃盗防止装置を提供することである。
【０００９】
本発明によると、これは、凹みが、主支持部に穿孔された穴からなり、障害物が、ハンガの、主支持部に引っ掛けられた部分の上部を、折りたたみ可能に覆うために、主支持部に蝶番で取り付けられた副木の形状になっている、冒頭で記載したタイプの装置によって達成される。
【００１０】
以下、添付図面を参照しながら本発明の好ましい実施態様を説明する。
【００１１】
図１および２に示す装置は、主支持部２に引っ掛けられたハンガ１からなる。ハンガ１は実質的にＵ字形であり、脚部が約４５°曲げられている。主支持部２は、ハンガの数に相当する数の対のスロット３を有している。スロットの幅はハンガの厚さに相当し、スロットはその内端に拡大部を有し、拡大部の直径および奥行きはハンガ１の端部の膨らみ４に相当する。ハンガ１は側方からスロットに挿入され、膨らみのある端部が押し下げられて拡大部にはまる。
【００１２】
対の２個のスロットは、主支持部の側壁から異なる距離だけ内に延び、その結果、拡大部、ひいては挿入されたハンガの端部は、主支持部の縦軸に対して斜めに延びる線上に位置する。したがって、この位置で、ハンガは主支持部に対して斜めに引っ掛かり、一定の角度だけ回動することができる。
【００１３】
主支持部には、副木５からなる障害物が設けられ、これは、上に折れ曲がるヒンジ６によって一端を固定され、錠７によって他端を塞ぐことができる。障害物がロックされると、ハンガを持ち上げることはできず、その結果、主支持部のホルダから取り外すことはできない。
【００１４】
障害物を使用してハンガが持ち上げられるのを防ぐのに代わる方法は、回転する副木または折れ曲がる副木を使用して、スロットからの取り外しを横方向に妨げる方法である。障害物はまた、回転する副木または折れ曲がる副木ではなく、スライドするバーを有することもできる。
【００１５】
ロックは、図示する例のように主支持部と障害物のフェイスホールを貫通する南京錠によって実施することもできるし、主支持部に内蔵された錠により、障害物の副木またはバーをその錠に引っ掛けるようにして実施することもできる。
【００１６】
図２は、商品、この場合には財布８をハンガに引っ掛ける方法を示す。ハンガを、まず一方の脚部を財布の背の内側に当てた状態で財布に通し、次に、主支持部に挿入し、塞ぐ。顧客は、このようにして展示された各財布を回動させ、開くことができ、それにより、取り外すことはできなくても、すべての側および内側から財布を見ることができる。
【００１７】
図３ａ〜ｇに示すように、ハンガは、図１に示すＵ字形以外の形状を有することもできる。図３ａは、挿入されると垂直に下を指す、まっすぐにＵ字形のハンガを示す。図３ｂは、ハンガの脚部によって画定される面に対して垂直な軸に対しても曲げられたＵ字形ハンガを示す。図３ｃは、端部にストッパを有する簡単でまっすぐなハンガを示す。ストッパは、商品がハンガのこの端部から取り外されるのを防ぐのに十分な大きさである。簡単なハンガはＵ字形ハンガよりも廉価であるが、Ｕ字形ハンガのほうが頑丈である。図３ｄは、脚部の長さが不等であり、一方の脚部だけが主支持部に引っ掛かるＵ字形ハンガを示す。図３ｅは、端部にストッパを有する簡単な曲がったハンガを示す。図３ｆは、２本の脚部を有し、Ｕ字形ではなくストッパを有する角のあるハンガを示す。図３ｇは、より広く離間したスロットに引っ掛けるための幅広ハンガを示す。このハンガは、大きめの商品または異なる形状の商品を展示するために使用される。
【００１８】
商品、たとえば同じく財布を展示するための図４に示す装置は、ハンガ１１がスロットに引っ掛けられるのではなく、適切に設計された主支持部１２に上から挿入される、より簡単な実施態様である。主支持部１２には穿孔１３が一列に設けられており、これらの穿孔に、Ｌ字形のハンガ１１の短い脚部１４が挿入される。ハンガは、他端にストッパ１５を設けられている。すでに記載した実施態様におけるように、主支持部には障害副木１６が設けられており、この副木が折りたたまれると、ハンガを取り外すことができなくなる。
【００１９】
図５ａ〜ｃに示すように、ハンガが主支持部に保持されるための膨らみは、多様な形状を有することができる。図５ａは、環をかぶせられたハンガの端部を示す。図５ｂは、球をはんだ付けされたハンガの端部を示す。図５ｃは、図４の実施態様の端部と同様な、単に角のあるハンガの端部を示す。
【００２０】
図６ａ〜ｃは、主支持部に対する端部のストッパの種々の形状を示す。図６ａは、端部に取り付けられたプレートを示す。プレートは丸くてもよいが、角のあるものでもよい。図６ｂは、単に角のあるハンガの端部を示す。図６ｃは、円形に曲げられたハンガの端部を示す。ストッパは、一つには、商品が損耗しにくいような、商品のための拡大担持面として働く。ストッパは、他方には、商品が観察者によって乱雑に放置されたとき、より容易に整頓状態に戻すように働く。
【図面の簡単な説明】
【図１】  財布を展示するための装置の斜視図である。
【図２】  同装置の側面図である。
【図３】  ハンガの種々の形状を示す図である。
【図４】  商品を展示するための装置の代替形態の斜視図である。
【図５】  主支持部に引っ掛けるためのハンガ端部の種々の形状を示す図である。
【図６】  吊るされる商品のストッパの種々の形状を示す図である。
【図１】
0004233216.tif 000002
【図２】
0004233216.tif 000003
【図３】
0004233216.tif 000004
【図４】
0004233216.tif 000005
【図５】
0004233216.tif 000006
【図６】
0004233216.tif 000007